(57)【要約】  【課題】合成樹脂等の樹脂フィルムからなる包装用袋であって、封筒等の郵送用、ダイレクトメール等の輸送用、或いは展示会等において配布されたカタログ等が収納されて、そのまま持ち帰ることができる手提げ用袋等として使用され、使用後は保存袋等として再利用することのできるような樹脂製の包装用袋を提供することを課題とする。  【解決手段】樹脂フィルムからなる袋本体内に、被収納物を収納可能な収納部が形成され、該収納部を開閉するためのチャックが前記袋本体の内面側に設けられ、且つ前記収納部から前記チャックの外側における収納部以外の部分を分断するための分断手段が、袋本体に設けられていることを特徴とする。【選択図】図２
2008280068.tif 000002
【特許請求の範囲】
【請求項１】
樹脂フィルムからなる袋本体（１）内に、被収納物を収納可能な収納部（３）が形成され、該収納部（３）を開閉するためのチャック（５ａ）、（５ｂ）が前記袋本体（１）の内面側に設けられ、且つ前記収納部（３）から前記チャック（５ａ）、（５ｂ）の外側における収納部（３）以外の部分を分断するための分断手段が、袋本体（１）に設けられていることを特徴とする包装用袋。
【請求項２】
分断手段がミシン目（８）である請求項１記載の包装用袋。
【請求項３】
分断手段がカットテープ（１１）である請求項１記載の包装用袋。
【発明の詳細な説明】
【技術分野】
【０００１】
本発明は包装用袋、さらに詳しくは、合成樹脂等の樹脂フィルムからなる包装用袋であって、封筒等の郵送用、ダイレクトメール等の輸送用、或いは展示会等において配布されたカタログ等が収納されて、そのまま持ち帰ることができる手提げ用袋等として使用され、使用後は保存袋等として再利用することのできるような包装用袋に関する。
【背景技術】
【０００２】
合成樹脂等の樹脂フィルムからなる包装用袋は、従来から種々の用途に用いられており、たとえば紙封筒に代えて郵送用として樹脂製の封筒が使用されつつある。このような樹脂製の封筒は、フィルムに着色や印刷を施すことができ、またコストも紙封筒に比べて安価になることから、需要が増大しつつある。このような樹脂製の封筒に関するものとして、たとえば下記特許文献１や特許文献２のような特許出願がなされている。また、フィルムが透明であることにより封入物を透視させることができる等の紙製の袋にはない特性があるので、近年では特にダイレクトメール用等の輸送用袋も普及しつつある。
【０００３】
さらに、展示会等においては複数のカタログ等が配布され、それらを持参して持ち帰る便宜のために、樹脂製フィルムからなる袋が利用されることもある。このような袋も
製作コストが安価であるので、展示会等の主催者が、カタログ等とともに持ち帰り用として無償で提供したとしても、それに要するコストの面で特に問題となるようなこともなく、むしろ無償でカタログ等を提供した後の販売促進効果によってもたらされる利益の方が大きいものと認識されている。従って、このような樹脂製フィルムからなる包装用袋の利用頻度も大きいものである。
【０００４】
このような持ち帰り用の袋として手提げ袋が使用されており、そのような手提げ袋に関するものとして、たとえば下記特許文献３乃至特許文献５のような特許出願がなされている。
【０００５】
【特許文献１】特開２００３−４０２７９号公報
【特許文献２】特開２０００−３０２１３７号公報
【特許文献３】特開２００３−５４５８４号公報
【特許文献４】特開平１１−３１０２５２号公報
【特許文献５】特開平９−２５５００２号公報
【０００６】
しかしながら、上記のような樹脂製の封筒やダイレクトメール用等の樹脂製輸送用袋は、郵送用若しくは輸送用として使用された後は、再利用されることはなく、そのまま廃棄されていた。また手提げ袋は、繰り返して使用できるような形態に形成されているものではあるが、上記のような展示会等でカタログ等とともに配布されるような持ち帰り用の袋は、本来使い捨てを前提として、特に手提げ部分の強度等を考慮することなく、全体を樹脂フィルムで構成する等、コストが安価になるよう製作されているものであるため、実際には再利用されていない。
【０００７】
尚、ポリエチレンテレフタレート等の一部の合成樹脂については、溶融して再生し、別種の製品に成形して再利用するような技術も開発されている。しかし、このような再生する技術を実施すること自体にコストがかかり、汎用性の合成樹脂であるポリエチレンやポリプロピレンについては、溶融、再生等の技術は実施されておらず、燃焼等によって廃棄処理されていたのが現状である。
【０００８】
このように合成樹脂製品を燃焼して廃棄処理することは、紙の場合と相違し、燃焼による排気ガスが環境にもたらす影響が懸念される。
【発明の開示】
【発明が解決しようとする課題】
【０００９】
本発明は、このような問題点を解決するためになされたもので、封筒等の郵送用、ダイレクトメール等の輸送用、或いは展示会等において配布されたカタログ等が収納されて、そのまま持ち帰ることができる手提げ用袋等として使用され、使用後は保存袋等として再利用することのできるような樹脂製の包装用袋を提供することを課題とする。
【課題を解決するための手段】
【００１０】
本発明は、このような課題を解決するためになされたもので、樹脂フィルムからなる袋本体内に、被収納物を収納可能な収納部が形成され、該収納部を開閉するためのチャックが前記袋本体の内面側に設けられ、且つ前記収納部から前記チャックの外側における収納部以外の部分を分断するための分断手段が、袋本体に設けられていることを特徴とする包装用袋を提供する。
【００１１】
分断手段としては、たとえばミシン目やカットテープのようなものが採用される。
【発明の効果】
【００１２】
本発明は、上述のように、樹脂フィルムからなる袋本体内に、被収納物を収納可能な収納部が形成され、該収納部を開閉するためのチャックが前記袋本体の内面側に設けられ、且つ前記収納部から前記チャックの外側における収納部以外の部分を分断するための分断手段が、袋本体に設けられているものであるため、このような包装用袋を使用する場合には、収納部に被収納物を収納して、たとえば郵便物を郵送する封筒として、又はダイレクトメール等用の輸送用袋として、或いは展示会等においては複数のカタログ等とともに持ち帰るための袋として使用することができ、そのような一次形態の袋として使用した後、上記分断手段を介して、チャックの外側における収納部以外の部分を分断することによって、収納部以外の不要な部分が除去されることとなり、保存袋等の二次形態の袋として有効利用を図ることができる。
【００１３】
この結果、郵送用、輸送用、或いは持ち帰り用等として使用された樹脂製の包装用袋を、その使用後において、上記のような分断手段により、チャックの外側における収納部以外の部分を分断することによって、保存袋等として再利用することができ、その結果、郵送用、輸送用、持ち帰り用等として使用された後に廃棄される可能性が少なくなり、ひいては環境保護に寄与することになるという効果がある。
【００１４】
また、分断手段によって分断、除去されるのは、包装用袋の一部のみであるので、保存袋等として再利用される場合に支障を生じるようなこともない。
【発明を実施するための最良の形態】
【００１５】
以下、本発明の実施形態について図面に従って説明する。
（実施形態１）
本実施形態の包装用袋は、図１及び図２に示すように、袋本体１の全体が透明な樹脂製フィルムからなり、該袋本体１の上部には開口部２が形成され、該開口部２より下側には、
被収納物を収納する収納部３が形成されている。そして、袋本体１を構成するフィルムからなる一片１ａ及び他片１ｂのうち、一片１ａが他片１ｂより前記開口部２の上部に延長されて封緘片４が形成されている。樹脂フィルムとしては、たとえばポリプロピレン、ポリエチレン等のような汎用性の合成樹脂製のフィルムを使用することができ、またポリ乳酸等のいわゆる生分解性フィルムのようなものを用いることもできる。
【００１６】
前記袋本体１の開口部２の直下における袋本体１の一片１ａと他片１ｂとのそれぞれ内面側には、相互に嵌合可能なチャック５ａ、５ｂが設けられている。また前記封緘片４の内面側には接着剤６を介して離型材７が設けられている。さらに、該封緘片４の内面側であって
開口部２よりもわずか上側の位置には、ミシン目８が形成されている。
【００１７】
そして、このような構成からなる包装用袋を使用する場合には、封緘片４から離型材７を剥離するとともに、図３に示すように前記開口部２から袋本体１の収納部３内に被収納物９を収納した後、接着剤６を介して封緘片４を袋本体１の他片１ｂ側に接着する。このように被収納物９を収納した状態で、たとえばダイレクトメール等用の輸送用袋として送信する等のように使用することができる。
【００１８】
このような輸送用袋を受信した受信者は、封緘片４を袋本体１の他片１ｂ側から離脱させ、被収納物９を収納部３から取り出して、送信された被収納物９を用いることができる。このようにして、ダイレクトメール等用の輸送用袋としての使用目的が達成された後は、受信者側によって保存袋等として使用することができる。
【００１９】
すなわち、図４に示すようにミシン目８の位置で封緘片４を袋本体１から分断し、輸送の際に収納されていた被収納物９とは別の、保存するための被収納物１０を収納する。この場合、輸送されてきた被収納物９をそのまま保存することも可能である。
【００２０】
さらに、同図のように、チャック５ａ、５ｂを嵌合することによって、開口部２を閉じる。このようにして、被収納物１０を密封状態で収納することができ、保存用の袋としての機能を奏する。この場合、保存袋として利用価値の少ない封緘片４の部分は、袋本体１から分断されるので、保存袋として好適に使用することができる。また分断されて除去される部分は、包装用袋の全体に対して封緘片４等のわずかな部分のみであるので、保存袋として再利用する場合に支障を生じることもない。
【００２１】
このように、本実施形態の包装用袋は、ダイレクトメール等用の輸送用袋として、送信者側に使用される他、これを受信した受信者側においては、保存袋として再利用することができる。このため、受信者側において直ちに廃棄されるような可能性が少なくなり、ひいては環境保護にも寄与することとなる。
【００２２】
（実施形態２）
本実施形態では、封緘片４を袋本体１から分断する分断手段として図５及び図６に示すようなカットテープ１１を用いており、この点で、分断手段としてミシン目８を用いていた上記実施形態１の場合と相違する。すなわち本実施形態では、同図のように、封緘片４の内面側であって開口部２よりもわずか上側の位置に、カットテープ１１が設けられている。
【００２３】
袋本体１の上部に開口部２が形成されている点、開口部２より下側に収納部３が形成されている点、袋本体１を構成する一片１ａが他片１ｂより開口部２の上部に延長されて封緘片４が形成されている点、開口部２の直下に相互に嵌合可能なチャック５ａ、５ｂが設けられている点、封緘片４の内面側に接着剤６を介して離型材７が設けられている点は、上記実施形態１と共通する。使用時において、封緘片４から離型材７を剥離し、袋本体１の収納部３内に被収納物９を収納した後、接着剤６を介して封緘片４を袋本体１の他片１ｂ側に接着して、輸送用袋等として送信する等の点も上記実施形態１と共通する（図３参照）。
【００２４】
本実施形態の包装用袋は、分断手段としてミシン目８に代えてカットテープ１１が封緘片４の所定位置、すなわち開口部２よりもわずか上側の位置に設けられているため、そのカットテープ１１を捲り取ることによって、封緘片４を袋本体１から分断させることができる。
【００２５】
従って、本実施形態においても、送信者が輸送用袋として使用した後、輸送用袋を受信した受信者は、図７に示すように、封緘片４を袋本体１の一片１ａ側から分断して除去し、チャック５ａ、５ｂを相互に嵌合させることによって、保存袋等として再利用することができる。
【００２６】
（実施形態３）
本実施形態では、図８及び図９に示すように、相互に嵌合可能なチャック５ａ、５ｂが、
袋本体１の下部の内面側に設けられており、この点で、チャック５ａ、５ｂが袋本体１の上部、より具体的には開口部２の直下にチャック５ａ、５ｂが設けられていた実施形態１及び実施形態２の場合と相違する。すなわち、本実施形態では、袋本体１の下部にチャック５ａ、５ｂが設けられているとともに、さらにそのチャック５ａ、５ｂの下部であって、袋本体１のそれぞれ両片１ａ、１ｂに分断部としてのミシン目８が形成されている。本実施形態においては、ミシン目８は袋本体１の上部、より具体的には開口部２のわずか上側にも形成されているが、この開口部２のわずか上側のミシン目８は、分断手段としてのミシン目ではなく、封緘片４の折曲部分としてのみ機能するものである。
【００２７】
袋本体１の上部に開口部２が形成されている点、開口部２より下側に収納部３が形成されている点、袋本体１を構成する一片１ａが他片１ｂより開口部２の上部に延長されて封緘片４が形成されている点、封緘片４の内面側に接着剤６を介して離型材７が設けられている点は、上記実施形態１と共通する。使用時においては、封緘片４から離型材７を剥離し、袋本体１の収納部３内に被収納物９を収納した後、図１０のように接着剤６を介して封緘片４を袋本体１の他片１ｂ側に接着して、輸送用袋等として送信する等の点も上記実施形態１と共通する。
【００２８】
輸送用袋を受信した受信者は、包装用袋の上下の位置を反転させ、図１１に示すようにミシン目８を介して袋本体１の底部１２を分断することにより、被収納物９を収納部３から取り出すことができる。そして、このように輸送用袋としての使用目的が達成された後は、同図にように別の被収納物１０を収納部３内に収納し、チャック５ａ、５ｂを相互に嵌合させることによって、受信者側において保存袋等として使用することができる。
【００２９】
本実施形態においては、受信者側において封緘片４を袋本体１から剥離することなく、包装用袋を反転してミシン目８を介して袋本体１の底部１２を分断することにより、その部分を開口して被収納物９を取り出すことができ、また被収納物９を取り出した後は、
チャック５ａ、５ｂを相互に嵌合させることによって収納部３を閉じることができる。本実施形態では、封緘片４は最初に被収納物９を収納する場合に開閉されるが、包装用袋を反転させた後、保存袋として再利用される場合には開閉されることがなく、専らチャック５ａ、５ｂの嵌合によって袋本体１の開閉がされることとなる。
【００３０】
（実施形態４）
本実施形態では、図１２に示すように袋本体１の一片１ａと他片１ｂ間に区画片１３が設けられており、この点で、かかる区画片１３が設けられていない上記実施形態１乃至３
と相違している。この区画片１３の材質は特に限定されないが、たとえば不織布のようなもので構成することができる。このような区画片１３が設けられている結果、本実施形態においては、図１２のように、２つの収納部３ａ、３ｂが形成されることとなる。
【００３１】
袋本体１の上部に開口部２が形成されている点、袋本体１を構成する一片１ａが他片１ｂより開口部２の上部に延長されて封緘片４が形成されている点、開口部２の直下に相互に嵌合可能なチャック５ａ、５ｂが設けられている点、封緘片４の内面側に接着剤６を介して離型材７が設けられている点は、上記実施形態１と共通する。使用時においては、本実施形態においても、封緘片４から離型材７を剥離し、接着剤６を介して封緘片４を袋本体１の他片１ｂ側に接着することで袋本体１が封緘されるが、本実施形態では、区画片１３を介して２つの収納部３ａ、３ｂが形成されているので、図１３に示すように、それぞれの収納部３ａ、３ｂ内に被収納物９が収納されることとなる。
【００３２】
輸送用袋を受信した受信者が、接着剤６を介して封緘片４を袋本体１の他片１ｂ側から離脱させ、被収納物９を収納部３ａ、３ｂから取り出した後、図１４のようにミシン目８の位置で封緘片４を袋本体１から分断する点も実施形態１等と共通する。
【００３３】
ただし、本実施形態では区画片１３を介して２つの収納部３ａ、３ｂが形成されているので、受信者が保存袋として包装用袋を再利用する場合にも、２つの収納部３ａ、３ｂにそれぞれ被収納物１０、１４を収納することができる。収納後にチャック５ａ、５ｂを相互に嵌合して開口部２を閉塞し、被収納物１０、１４を密封状態で収納して保存用の袋とする点も実施形態１等と共通する。
【００３４】
本実施形態においては、区画片１３を介して２つの収納部３ａ、３ｂが形成されているので、送信者が輸送用として使用する場合に、異種の被収納物を収納部３ａ、３ｂ内に収納することができ、また受信者が受信後に保存袋として使用する場合にも、異種の被収納物を収納部３ａ、３ｂ内に収納することができる。この場合、図１４のように厚みのある被収納物１４と厚みのない被収納物１０とを収納部３ａ、３ｂ内に収納することができる。たとえば、コンパクトディスクと、そのコンパクトディスクに録音されている歌の歌詞カード等の２種の被収納物を収納することができる。
【００３５】
（実施形態５）
本実施形態は、手提げ用の包装用袋であり、輸送用の袋として使用される実施形態１乃至４と相違する。手提げ用の袋であるので、上記実施形態１乃至４のような封緘片４が設けられておらず、開口部２の端縁である袋本体１の一片１ａと他片１ｂの上端は、同じ高さに形成されている。
【００３６】
また、手提げ用の袋であるので、袋本体１の一片１ａと他片１ｂの上部には、図１５及び図１６に示すように、手を挿入するための、長孔１５、１５が穿設されている。このように、本実施形態の包装用袋は、用途の相違に起因して上記実施形態１乃至４の包装用袋とは基本的形態が相違している。
【００３７】
本実施形態では、図１６のように袋本体１の一片１ａと他片１ｂにおける上記長孔１５、１５の下側にカットテープ１１、１１が設けられており、さらにその下側にチャック５ａ、５ｂが設けられている。袋本体１の表面側には、図１５のように、カットテープ１１の開封起点１１ａが設けられている。
【００３８】
本実施形態の包装用袋は、たとえば展示会等において配布されるカタログ等を、持ち帰る際に、そのようなカタログ等とともに配布される持ち帰り用の袋として使用される。従って、そのカタログ等が図１７に示すように被収納物９として収納部３内に収納されることとなる。
【００３９】
このような持ち帰り用の袋として使用した後は、持ち帰った被収納物９を収納部３から取り出した後、図１８に示すようにカットテープ１１を捲り取ることによって、長孔１５、１５が穿設された袋本体１の上部１６を分断させることができ、上記被収納物９とは別の被収納物１０を収納し、同図のようにチャック５ａ、５ｂを嵌合させることによって、保存袋として使用することができる。
【００４０】
本実施形態においても、持ち帰り用の袋として使用された後は、保存袋として再利用することができるので、直ちに廃棄される可能性が少なくなり、環境保護にも寄与するという上記実施形態と同様の効果を有する。そして、保存袋として利用価値の少ない長孔１５、１５が穿設された袋本体１の上部１６は分断されるので、保存袋として好適に使用することができる。
【００４１】
（実施形態６）
本実施形態では、図２０に示すように、袋本体１の一片１ａ側にカットテープ１１が設けられているとともに、他片１ｂ側には図１９及び図２０のようにミシン目８が設けられており、この点で、袋本体１の両片１ａ、１ｂの双方にカットテープ１１が設けられていた実施形態５と相違する。従って、本実施形態においては、図２１に示すように、袋本体１の一片１ａ側においては、カットテープ１１によって袋本体１の上部１６が分断され、袋本体１の他片１ｂ側においては、ミシン目８によって袋本体１の上部１６が分断されることとなる。
【００４２】
開口部２の端縁である袋本体１の一片１ａと他片１ｂの上端が同じ高さに形成されている点、袋本体１の一片１ａと他片１ｂの上部に長孔１５、１５が穿設されている点、長孔１５、１５の下方にチャック５ａ、５ｂが設けられている点は、実施形態５と共通する。
【００４３】
（実施形態７）
本実施形態では、図２２及び図２３に示すように、開口部２が袋本体１の下部に形成されており、その開口部２を開閉するための封緘片４が、該袋本体１の一片１ａを他片１ｂより開口部２の下部に延長して形成されている。これらの点で、かかる封緘片４がなく、開口部２が袋本体１の上部に形成されていた上記実施形態５及び６と相違する。
【００４４】
袋本体１の一片１ａと他片１ｂの上部に長孔１５、１５が穿設されている点、該長孔１５、１５の下側にカットテープ１１、１１が設けられている点、該カットテープ１１、１１の下側にチャック５ａ、５ｂが設けられている点は、実施形態５と共通する。
【００４５】
本実施形態の包装用袋を使用する場合には、封緘片４から離型材７を剥離するとともに、図２４に示すように、袋本体１の下部の開口部２から収納部３内に被収納物９を収納し、接着剤６を介して封緘片４を袋本体１の他片１ｂ側に接着する。このように封緘片４で開口部２が封緘されることによって、実施形態５、６と同様に持ち帰り用の袋として使用される。
【００４６】
持ち帰り用の袋としての使用後に、図２５に示すようにカットテープ１１を捲り取ることによって、長孔１５、１５が穿設された袋本体１の上部１６を分断させ、別の被収納物１０を袋本体１の上部から収納し、同図のようにチャック５ａ、５ｂを嵌合させることによって、保存袋として使用することができる点は、実施形態５と同様である。
【００４７】
（実施形態８）
本実施形態では、図２６及び図２７に示すように、袋本体１の上部に開口部２が形成され、該開口部２から、袋本体１を構成するフィルムからなる一片１ａが他片１ｂより上部に延長され、その開口部２の上部に延長された一片１ａを構成するフィルムが頂部１８で折り返されるとともに、折り返されたフィルムと前記上部に延長されたフィルムとが熱溶着されて区画シール部１９が形成され、該区画シール部１９の上部がヘッダー部１７として形成されている。本実施形態では、このように延長されたフィルムと折り返されたフィルムとでヘッダー部１７が形成されているのであるが、この延長されたフィルムと折り返されたフィルムとの間に、該フィルムより厚手の合成紙のような補強片を挿入することも可能である。
【００４８】
このヘッダー部１７に、手提げ用の長孔１５、１５が穿設されている。また前記頂部１８で折り返されたフィルムは、前記区画シール部１９から下部に延長され、その延長された部分が封緘片４として形成されている。封緘片４の内面側には接着剤６を介して離型材７が設けられている点は、上記実施形態１等と同様である。袋本体１の一片１ａにおける開口部２のわずか上側にはカットテープ１１が設けられている。また、開口部２のわずか下側には、チャック５ａ、５ｂが設けられている。
【００４９】
本実施形態の包装用袋を使用する場合には、封緘片４から離型材７を剥離するとともに、図２８に示すように、袋本体１の上部の開口部２から収納部３内に被収納物９を収納し、接着剤６を介して封緘片４を袋本体１の他片１ｂ側に接着する。このように封緘片４で開口部２が封緘されることによって、実施形態５乃至７と同様に持ち帰り用の袋として使用される。
【００５０】
持ち帰り用の袋としての使用後には、接着剤６を介して封緘片４を袋本体１から離脱させ、さらに図２９に示すようにカットテープ１１を捲り取ることによって、長孔１５、１５が穿設されたヘッダー部１７を袋本体１から分断させ、別の被収納物１０を袋本体１の開口部２から収納し、同図のようにチャック５ａ、５ｂを嵌合させることによって、保存袋として使用することができる。
【００５１】
（実施形態９）
本実施形態では、袋本体１の底部にガゼット２０が形成され、この点で上記各実施形態と相違している。ガゼット２０が形成されているので、図３１に示すように、ガゼット２０を展開することによって、厚みのある被収納物１０を収納することが可能となる。
【００５２】
袋本体１の一片１ａと他片１ｂの上部に長孔１５、１５が穿設されている点、該長孔１５、１５の下側にカットテープ１１及びミシン目８が設けられている点、カットテープ１１及びミシン目８の下側にチャック５ａ、５ｂが設けられている点は、実施形態６と共通する。そして、手提げ用袋としての使用後に、図３１のようにカットテープ１１及びミシン目８によって袋本体１の上部１６が分断され、チャック５ａ、５ｂが相互に嵌合されることによって保存袋として使用できる点も、実施形態６と同様である。
【００５３】
（その他の実施形態）
尚、袋本体１の開口部２の位置は、上記実施形態１乃至６及び実施形態８、９のように袋本体１の上部に形成されていてもよく、また実施形態７のように袋本体１の下部に形成されていてもよく、その位置は問わない。
【００５４】
また、封緘片４や袋本体１の上部等を分断する分断手段も、上記実施形態１、３４のようなミシン目８による手段、実施形態２、５、７、８のようなカットテープ１１による手段、実施形態６、９のようにカットテープ１１とミシン目８との双方による手段のいずれであってもよく、また、これら以外の分断手段を採用することも可能である。
【００５５】
さらに、袋本体１を構成する樹脂フィルムの材質も、上記ポリプロピレン、ポリエチレン等のような汎用性の合成樹脂製フィルムに限らず、これら以外の合成樹脂製フィルムを使用することも可能である。また合成樹脂製フィルムに限らず、天然樹脂製のフィルムを用いることも可能である。さらには、生分解性フィルムを使用することも可能であり、その場合には、保存袋等として再利用した後にも、土中等において生分解させることができるので、環境保護により適した袋を提供しうるという効果がある。生分解性フィルムとしては、環境に与える影響が少ないことから上記のようなポリ乳酸を用いることが望ましいが、ポリ乳酸以外の生分解性フィルムを用いることも可能である。さらには、樹脂以外の素材を樹脂に複合化させた複合化フィルムのようなものを用いることも可能である。
【００５６】
さらに、包装用袋の用途も、上記実施形態１乃至４のような輸送用袋、実施形態５乃至９のような手提げ用の袋に限定されるものではなく、たとえば郵送用の封筒のようなものであってもよく、さらにはこれら以外の用途の包装用袋であってもよい。従って、包装用袋の形態も用途に応じて適宜変更することができ、上記実施形態１乃至４、７、８のように封緘片４を有する形態のもの、実施形態５乃至９のように手提げ用の長孔１５を有するもの、実施形態８のように袋本体１から区画シール部１９を介してヘッダー部１７が形成されたもの等、種々の形態の包装用袋に本発明を適用することができる。
【００５７】
さらに、保存袋として再利用する場合の被収納物の種類も問うものではなく、たとえば菓子、食品等の残りものや冷蔵庫整理用としての保存袋、文房具類の保存袋、旅行、外出時の小物入れとしての保存袋等に使用することができ、また郵送用や輸送用としての使用時に収納されていた郵便物やダイレクトメール等の被収納物を、そのまま保存するようなことも可能である。
【００５８】
さらに、再利用の場合の用途も上記各実施形態の保存袋に限定されるものではなく、要はチャック付きの袋として使用できる用途であればよい。その他、本発明の意図する範囲内で任意に設計変更可能である。
【図面の簡単な説明】
【００５９】
【図１】一実施形態としての包装用袋の正面図。
【図２】図１のＡ−Ａ線断面図。
【図３】封緘片を封緘して被収納物を収納部内に収納した状態の断面図。
【図４】封緘片を分断し、チャックを嵌合した状態の断面図。
【図５】他実施形態の包装用袋の正面図。
【図６】図５のＢ−Ｂ線断面図。
【図７】封緘片を分断し、チャックを嵌合した状態の断面図。
【図８】他実施形態の包装用袋の正面図。
【図９】図８のＣ−Ｃ線断面図。
【図１０】封緘片を封緘して被収納物を収納部内に収納した状態の断面図。
【図１１】包装用袋を反転するとともに、袋本体の底部を分断し、チャックを嵌合した状態の断面図。
【図１２】他実施形態の包装用袋の断面図。
【図１３】封緘片を封緘して被収納物を収納部内に収納した状態の断面図。
【図１４】封緘片を分断し、チャックを嵌合した状態の断面図。
【図１５】他実施形態の包装用袋の正面図。
【図１６】図１５のＤ−Ｄ線断面図。
【図１７】被収納物を収納部内に収納した状態の断面図。
【図１８】袋本体の上部を分断し、チャックを嵌合した状態の断面図。
【図１９】他実施形態の包装用袋の正面図。
【図２０】図１９のＥ−Ｅ線断面図。
【図２１】袋本体の上部を分断し、チャックを嵌合した状態の断面図。
【図２２】他実施形態の包装用袋の正面図。
【図２３】図２２のＦ−Ｆ線断面図。
【図２４】封緘片を封緘して被収納物を収納部内に収納した状態の断面図。
【図２５】袋本体の上部を分断し、チャックを嵌合した状態の断面図。
【図２６】他実施形態の包装用袋の正面図。
【図２７】図２６のＧ−Ｇ線断面図。
【図２８】封緘片を封緘して被収納物を収納部内に収納した状態の断面図。
【図２９】ヘッダー部を分断し、チャックを嵌合した状態の断面図。
【図３０】他実施形態の包装用袋の断面図。
【図３１】袋本体の上部を分断し、チャックを嵌合した状態の断面図。
【符号の説明】
【００６０】
１…袋本体                      ３…収納部
５ａ、５ｂ…チャック            ８…ミシン目
１１…カットテープ
【図１】
2008280068.tif 000003
【図２】
2008280068.tif 000004
【図３】
2008280068.tif 000005
【図４】
2008280068.tif 000006
【図５】
2008280068.tif 000007
【図６】
2008280068.tif 000008
【図７】
2008280068.tif 000009
【図８】
2008280068.tif 000010
【図９】
2008280068.tif 000011
【図１０】
2008280068.tif 000012
【図１１】
2008280068.tif 000013
【図１２】
2008280068.tif 000014
【図１３】
2008280068.tif 000015
【図１４】
2008280068.tif 000016
【図１５】
2008280068.tif 000017
【図１６】
2008280068.tif 000018
【図１７】
2008280068.tif 000019
【図１８】
2008280068.tif 000020
【図１９】
2008280068.tif 000021
【図２０】
2008280068.tif 000022
【図２１】
2008280068.tif 000023
【図２２】
2008280068.tif 000024
【図２３】
2008280068.tif 000025
【図２４】
2008280068.tif 000026
【図２５】
2008280068.tif 000027
【図２６】
2008280068.tif 000028
【図２７】
2008280068.tif 000029
【図２８】
2008280068.tif 000030
【図２９】
2008280068.tif 000031
【図３０】
2008280068.tif 000032
【図３１】
2008280068.tif 000033